(57)【特許請求の範囲】
【請求項１】
袋体の口部に設けられ一方の内側面に凸条部を設けた雄係合部材と他方の内側面に前記凸条部を係脱自在に嵌め入れる嵌合溝を設けた雌係合部材とより成るファスナーのこれら雄係合部材と雌係合部材との嵌合状態に割り込んで分離する突起部を形成した一方のスライダ部材と、これら雄係合部材と雌係合部材とを嵌合状態となるようにする狭窄部を形成した他方のスライダ部材と、より成るスライダであって、前記一方のスライダ部材と他方のスライダ部材とが一体となり、ファスナーの分離と嵌合をおこなう嵌合構造としたことを特徴とするファスナー用スライダ。
【請求項２】
前記突起を設けた一方のスライダ部材の両側には側壁を形成し、他方のスライダ部材の狭窄部の両側に柱部を形成すると共に該柱部の両外側に凹部を形成し、前記側壁を前記凹部に嵌合させ、前記一方のスライダ部材と前記他方のスライダ部材とが一体となる嵌合構造とすることを特徴とする請求項１に記載のファスナー用スライダ。
【請求項３】
前記一方のスライダ部材の両側の側壁と、他方のスライダ部材の狭窄部の外側の両側に設けた凹部とは、分離不可能に嵌合する嵌合構造とすることを特徴とする請求項１または請求項２に記載のファスナー用スライダ。
【発明の詳細な説明】
【技術分野】
【０００１】
本発明は、既存のファスナー付包装用袋体に使用することのできるスライダ、特にファスナを設けた包装用袋体に後付けすることが可能で、分割型として形成し、これらを嵌合させて一つのスライダとしてファスナーを開閉自在とすることのできるファスナー用スライダに関する。
【背景技術】
【０００２】
従来より、合成樹脂フィルム製の包装用袋体には、ファスナー（チャックともいう）付の包装用袋体が使用されることが多い。かかる包装用袋体のファスナーは、塵埃の侵入を防止したり包装用袋体に入れた物品が遺失したりするのを防止するための手段として設けられている。従来のファスナー付の包装用袋体の殆どはこのファスナーを開閉するためのスライダが取り付けられている。即ち、図９に示すように、包装用袋体Ｗの口部Ｅには開閉用のスライダ付ファスナーＦが設けられる。このスライダ１０は、矢印Ｒ方向にスライドさせるとファスナーＦが開けられ、矢印Ｓ方向にスライドさせるとファスナーＦは閉鎖される。
【０００３】
前記ファスナーＦは、図１０（Ａ）に示すように、一方の内側面Ｗ1 に凸条部Ｆ３を設けた雄係合部材Ｆ１と、他方の内側面Ｗ2 に前記凸条部Ｆ３を係脱自在に嵌め入れる凹状の係合溝Ｆ４を設けた雌係合部材Ｆ２と、がそれぞれ袋体の口部Ｅの内側に接着して設けられる。そして当初は包装用袋体ＷのファスナーＦが閉じているときは図１０（Ａ）に示すように、雄係合部材Ｆ１の凸条部Ｆ３と、雌係合部材Ｆ２の係合溝Ｆ４とは嵌合状態であるが、包装用袋体Ｗの口部Ｅを開けるときには図１０（Ｂ）に示すように、スライダ１０の突起部１０Ａを、ファスナーＦの凸条部Ｆ３と係合溝Ｆ４との間に割り込ませて位置させ、該スライダ１０をスライド（移動）させると、口部Ｅは開いた状態となり、包装用袋体Ｗの口部Ｅを閉じるときには図１０（Ｃ）に示すように、スライダ１０の狭窄部１０Ｃを、雄係合部材Ｆ１と雌係合部材Ｆ２の間の外側に位置させて該スライダ１０をスライド（移動）させると、両側から圧迫して口部Ｅを閉めた状態となる。
【０００４】
図１１（Ａ）は、前記従来のスライダ１０の斜視図であり、図１１（Ｂ）は、その半割にした状態の斜視である。これらの図では、内容が判りやすいように実際の使用状態とは逆向き（突起部１０Ａと狭窄部１０Ｃが上方に向いている）としてある。これらの図に示すように、従来のスライダ１０は、中央の広くした中心線方向片側寄りの内側空間１０Ｅに立設させた突起部１０Ａと、該底部１０Ｂの両側に立設させた両側壁１０Ｄ、１０Ｄと、他方の片側寄りに空間の狭い狭窄部１０Ｃを形成した壁部１０Ｇ、１０Ｇと、で構成されている。該スライダ１０は、包装用袋体Ｗの口部Ｅに設けたファスナーＦに、後から係止させることも可能である。即ち、図９に示すようにスライダ１０を取り付ける場合、スライダ１０の突起部１０Ａを上から割り込ませると共に狭窄部１０Ｃで包装用袋体Ｗの口部Ｅの外側の両側かから挟み込ませるように取り付ける。こうして前記スライダ１０を矢印Ｒ方向へスライドさせるとファスナーＦが開き、矢印Ｓ方向へスライドさせるとファスナーＦを閉じる（即ち、口部Ｅを閉じる）ことができる。
【０００５】
また、従来のスライダとして、プラスチックの表面に雌雄一対の封止用鉤爪が形成されたスライダー付きプラスチックチャックにおいて、又は更に雄鉤爪の内側に該爪と平行な連続締付壁を雌鉤爪の内側に該爪と平行な連続押付けリブを各々有するスライダー付きプラスチックチャックにおいて、開口側に封止用鉤爪と平行に雌雄一対のスライダー案内用鉤爪を設け、且つスライダーの内側ガイドを封止用鉤爪とスライダー案内用鉤爪との間に位置させたスライダー付きプラスチックチャック付き袋体が提案されている（特許文献１）。
【０００６】
あるいは、係脱自在の凸条と嵌合溝とを組合わせたタイプのチャックを、口縁部に取付けた包装用袋に装着して用いるものであって、袋の口縁部に跨座状態で左右に摺動させうる、短小なチャンネル材状の本体には、その溝状内空部に、チャックを挟み付ける１対の押圧用突部と、突条と嵌合溝との間に割り込ませてチャックを開かせる割込部材とを、縦列状に配置し、且つ、口縁部への開閉具の装着を容易ならしめる為に、本体の両側壁の対向間隔を先端に向けて次第に拡開させると共に、装着後に、両側壁を圧迫して平行状態に保たせる為の、互いに掛合される掛止爪を備えた１対の掛合部材を、両側壁の基端側に対向状に突設したことを特徴とするチャック付包装袋の開閉具（スライダ）も提案されている（特許文献２）。
【０００７】
特許文献１        特開２００２−１７７０２０
特許文献２        特開２００３−０２００５０
【発明の開示】
【発明が解決しようとする課題】
【０００８】
上記する従来のスライダＳは、スライダの内側ガイド（Ｓ１）と外側ガイド（Ｓ２）が形成され、特にスライダＳの内部空間の一部には該内側ガイド（Ｓ１）により雄鉤爪と（Ｍ２−１）と雌鉤爪（Ｆ２−１）とを分離させたとき相当の空間部を形成しなければならず、また、雌雄の爪（Ｍ２−１、Ｆ２−１）を閉じる狭窄部を形成しなければならない。また、開閉具Ａは、チャックの割込部材３と一部に押圧用突部４を形成し、チャックを閉じるとき掛合部材２、２と、該掛合部材２、２に前記割込部材３を形成するように構成されている。いずれにしても、スライダＳも開閉具Ａも合成樹脂による成型品であるが、これらの樹脂成型用金型を製作するのは極めて複雑であり且つ煩雑で困難である。しかも、これらのスライダＳや開閉具Ａはその大きさに限度があり、あまり大きくすることはできない。
更に、図１１に示すようなスライダが最も便利であるが、ファスナーに取り付けるとき端部から嵌め入れることはできず、上側隅から押し込むことになる。
【０００９】
本発明は、上記の事情を考慮してなされたものであり、ファスナーの装着されている包装用袋体に後から取り付け可能で、構造が比較的簡単でファスナーの端部からも取り付け可能であり、且つ樹脂成型金型の製作が容易で樹脂成型しやすいファスナー用のスライダを提供することを目的としている。
【課題を解決するための手段】
【００１０】
上記の目的を達成するため、本発明に係る包装用袋体は、請求項１に記載の発明は、ファスナー用のスライダが、袋体の口部に設けられ一方の内側面に凸条部を設けた雄係合部材と他方の内側面に前記凸条部を係脱自在に嵌め入れる嵌合溝を設けた雌係合部材とより成るファスナーのこれら雄係合部材と雌係合部材との嵌合状態に割り込んで分離する突起部を形成した一方のスライダ部材（２）と、これら雄係合部材と雌係合部材とを嵌合状態となるようにする狭窄部（３Ｃ）を形成した他方のスライダ部材（３）と、より成るスライダであって、前記一方のスライダ部材（２）と他方のスライダ部材（３）とが一体となり、ファスナーの分離と嵌合をおこなう嵌合構造としたことを特徴としている。
【００１１】
また、請求項２に記載の発明は、前記突起を設けた一方のスライダ部材の両側には側壁（２Ｃ、２Ｃ）を形成し、他方のスライダ部材（３）の狭窄部（３Ｃ）の両側に柱部（３Ａ、３Ａ）を形成すると共に該柱部（３Ａ）の両外側に凹部（３Ｅ、３Ｅ）を形成し、前記側壁（２Ｃ）を前記凹部（３Ｅ）に嵌合させ、前記一方のスライダ部材と前記他方のスライダ部材とが一体となる嵌合構造とすることを特徴としている。
【００１２】
また、請求項３に記載の発明は、前記一方のスライダ部材（２）の両側の側壁（２Ｃ、２Ｃ）と、他方のスライダ部材（３）の狭窄部（３Ｃ）の外側の両側に設けた凹部（３Ｅ、３Ｅ）とは、分離不可能に嵌合する嵌合構造とすることを特徴としている。
【発明の効果】
【００１３】
上記手段とした本発明のファスナー用スライダによれば、突起部のある一方のスライダ部材と狭窄部のある他方のスライダ部材とを別々に製作し、容易に嵌合して一体とし、通常のスライダと同様のスライダとすることができる。このスライダは、閉鎖状態のファスナーの間に突起部のある一方のスライダ部材を容易に割り込ませてファスナーを開くことができる。また、狭窄部のある他方のスライダ部材は開いているファスナーを密閉することができる。さらに、このスライダは包装用袋体に設けたファスナーに後付けすることが可能であり、通常のスライダ付ファスナーと全く同様に一方に移動させれば閉じている状態のファスナーを開くことができるし、他方に移動させると、開いているファスナーの雄部と雌部を嵌合して閉じることができる。
【００１４】
本発明のファスナー用スライダは、別個の二つの部分からなり、一体嵌合させるため金型の構造も簡単であり、安価に製作することができる。また、ファスナーの端部の一方の横から一方のスライダ部材を嵌め込み、別途上から他方のスライダ部材をファスナーの上から入れ、嵌合することができるので、包装用袋体のファスナー端部に隙間を作らないで該包装用袋体を密閉することができる。
【発明を実施するための最良の形態】
【００１５】
以下、図面を参照して本願発明の具体的な実施の形態を詳述する。
【００１６】
図１は、本発明のファスナー用スライダ１の全体斜視図であり、図２（Ａ）は本発明のファスナー用スライダ１を構成する一方のスライダ部材２と、他方のスライダ部材３と、を一体嵌合させる前の状態の斜視図であり、図２（Ｂ）は、図２（Ａ）に示す他方のスライダ部材３のＰ矢視図であり、図２（Ｃ）は、図１のファスナー用スライダの全体斜視図の一部を切断して示す全体斜視図である。また、図３（Ａ）は、本発明のファスナー用スライダの平面図であり、図３（Ｂ）は図３（Ａ）のＡーＡ矢視断面図であり、図３（Ｃ）は、底面図である。図４（Ａ）は、図３（Ｃ）のＢーＢ矢視断面図であり、図４（Ｂ）は、図３（Ｃ）のＣーＣ矢視断面図である。
【００１７】
図２（Ａ）に示すように、一方のスライダ部材２は、底部２Ｂの中央に立設した突起部２Ａと、該底部２Ｂの両側に立設した側壁部２Ｃ、２Ｃと、で構成される。また、他方のスライダ部材３は、底部３Ｂに端部から一定距離おいて内側に立設される柱部３Ａ、３Ａの間に狭窄部となる空間３Ｃ（狭窄部３Ｃとする）と、前記柱部３Ａ、３Ａの上に設けられ前記底部３Ｂと共に前記一方のスライダ部材２に設けられた側壁部２Ｃ、２Ｃを嵌め入れる凹部３Ｅ、３Ｅを形成する庇部３Ｄ、３Ｄと、で構成される。前記一方のスライダ部材２に設ける側壁部２Ｃ、２Ｃの内側の幅Ｌは、他方のスライダ部材３に形成される柱部３Ａ、３Ａの外側の幅Ｈとほぼ同じが僅かに小さくしてある（図４（Ａ）参照）。また、他方のスライダ部材３に設けられる柱部３Ａ、３Ａ間の狭窄部の空間３Ｃの幅Ｍは、包装用袋体Ｗに装着されるファスナーＦの雄係合部材Ｆ１と雌係合部材Ｆ２を外側から押圧し、これらを嵌合させる程度の幅とする（図４（Ａ）、（Ｂ）参照）。
【００１８】
上記構成の一方のスライダ部材２と、他方のスライダ部材３とを図２（Ａ）の矢印Ｑのように一体とすると、一方のスライダ部材２の側壁部２Ｃ、２Ｃが、他方のスライダ部材３の底部３Ｂと庇部３Ｄ、３Ｄとの間に形成される凹部３Ｅ、３Ｅにそれぞれ嵌まり一体構造のスライダとなる。即ち、前記一方のスライダ部材２の側壁部２Ｃ、２Ｃと、前記他方のスライダ部材３の凹部３Ｅ、３Ｅとは、嵌合構造となっている。この場合、前記一方のスライダ部材２の側壁部２Ｃ、２Ｃは一定の弾性を有するようにしてある。なお、前記一方のスライダ部材２に形成される突起部２Ａは閉じているファスナーの雄係合部材と雌係合部材との間に割込み易くなるよう先端部を細くなるよう（テーパ状となるよう）にしても良い。
【００１９】
次に、図５に示すように、前記一方のスライダ部材２に設ける側壁部２Ｃ、２Ｃの端部には、鉤形部２ＣR 、２ＣR を形成すると共に、他方のスライダ部材３に設けた柱部３Ａ、３Ａには、一方のスライダ部材２と他方のスライダ部材３とを嵌合させたとき、即ち、側壁部２Ｃ、２Ｃと柱部３Ａ、３Ａとが嵌合したとき、該柱部３Ａ、３Ａには前記鉤形部係止する段部３ＡT 、３ＡT が形成されている。尚、これら鉤形部２ＣR 、２ＣR と段部３ＡT 、３ＡT との係合は、図５に示すように、共に鋭角として係止したとき分離不可能になるように形成しても良い。
【００２０】
上記構成とした本発明のファスナー用スライダ１は、図６に示すように、口部にファスナーＦの設けられている包装用袋体Ｗの該ファスナーＦの途中に上から突起部２Ａを押し込み、狭窄部３Ｃを口部の両側から挟み込んで取り付けることができる。尚、この図６ではスライダ１は判りやすくするため若干大きく描いてある。こうして、スライダ１を矢印Ｒ方向へスライドさせると口部のファスナーＦは開き、矢印Ｓ方向へスライドさせると口部のファスナーを閉じることができる。
【００２１】
本発明のスライダ１は、包装用袋体Ｗの口部に設けたファスナーＦを完全に密閉することができる。即ち、図７（Ａ）に示すように、包装用袋体Ｗの口部の端部の外側から一方のスライド部材２の突起部２Ａ（図２（Ａ）参照）を横から割り込ませ、他方のスライド部材３は口部Ｅの上から狭窄部で挟み込むように取り付け、図７（Ｂ）に示すように、一方のスライド部材２と他方のスライド部材３とを一体に嵌合する。このようにスライド１を包装用袋体の口部Ｅに取り付けると口部Ｅに設けたファスナーＦは端から端まで密封することができる。従って、包装用袋体Ｗの内部に入れた小さい物品はこぼれ出にくくなる。
【００２２】
本発明のファスナー用スライダの構成は、以上のようであるが、一方のスライダ部材と他方のスライダ部材との嵌合構造は上記実施例に限らない。即ち、本発明の具体的な実施の形態では、軸方向（スライド方向）に嵌合させる場合について説明したが、図８に示すように、一方のスライダ部材２２と他方のスライダ部材２３とは上下方向に嵌合する構造としても良い。この場合、広い寸法幅Ｇのある部分が突起部２２Ａを設ける位置であり、狭い幅Ｊのある分が狭窄部２３Ｃとなる。また、縦方向に二つ割として一方のスライダ部材に突起部を設け、他方のスライダ部材に該突起部を嵌合する孔を設けて嵌合させるようにしても良い。即ち、横方向に嵌合するような構造としても良い。また、本発明のファスナー用スライダは、包装用袋体に設けてあるファスナーに後付けするようにしてあるが、当初からファスナーに取り付けておいても良いことは当然である。
【図面の簡単な説明】
【００２３】
【図１】本発明のファスナー用スライダの全体斜視図である。
【図２】図２（Ａ）は本発明のファスナー用スライダを構成する一方のスライダ部材と、他方のスライダ部材と、を一体嵌合させる前の状態の斜視図であり、図２（Ｂ）は、図２（Ａ）に示す他方のスライダ部材のＰ矢視図であり、図２（Ｃ）は、図１のファスナー用スライダの全体斜視図の一部を切断して示す全体斜視図である。
【図３】図３（Ａ）は、本発明のファスナー用スライダの平面図であり、図３（Ｂ）は図３（Ａ）のＡーＡ矢視断面図であり、図３（Ｃ）は、底面図である。
【図４】図４（Ａ）は、図３（Ｃ）のＢーＢ矢視断面図であり、図４（Ｂ）は、図３（Ｃ）のＣーＣ矢視断面図である。
【図５】本発明のファスナー用スライダを構成する一方のスラ部材の側壁の鉤形部と他方のスライダの柱部の段部の係合を分離不可とする場合の係止状態を示す図である。
【図６】包装用袋体の口部に設けたファスナーに、本発明のファスナー用スライダを取り付けた状態の斜視図である。
【図７】図７（Ａ）は、包装用袋体の口部の端部の外側から一方のスライド部材の突起部を横から割り込ませ、他方のスライド部材３は口部Ｅの上から狭窄部で挟み込むように取り付ける状態の図を示し、図７（Ｂ）は、一方のスライド部材と他方のスライド部材とを一体に嵌合した状態を示す図である。
【図８】本発明のファスナー用スライダの他の実施例であって、一方のスライダ部材と他方のスライダ部材とを上下に嵌合させる場合の実施例を示す斜視図である。
【図９】従来の包装用袋体の口部に設けたファスナーに取り付けたスライダの斜視図である。
【図１０】図１０（Ａ）は、通常の包装用袋体に設けるファスナーの構造を示す図であり、図１０（Ｂ）は、閉じてあるファスナーにスライダの突起部を割り込ませてファスナーを開ける状態を示す図であり、図１０（Ｃ）は、開いてあるファスナーをスライダの狭窄部で閉じる状態を示す図である。
【図１１】図１１（Ａ）は、従来のスライダの構成を示す全体斜視図であり、図１１（Ｂ）は、その半割にした状態の斜視である。
【符号の説明】
【００２４】
１    スライダ
２    一方のスライダ部材
２Ａ  一方のスライダ部材の突起部
２Ｂ  一方のスライダ部材の底部
２Ｃ  一方のスライダ部材の側壁
３    他方のスライダ部材
３Ｂ  他方のスライダ部材の底部
３Ｃ  他方のスライダ部材の狭窄部
３Ｄ  他方のスライダ部材の庇
３Ｅ  他方のスライダ部材の凹部
【要約】
【課題】  ファスナーの装着されている包装用袋体に後から取り付け可能で、構造が比較的簡単でファスナーの端部からも取り付け可能であり、且つ樹脂成型金型の製作が容易で樹脂成型しやすいファスナー用のスライダを提供する。
【解決手段】  袋体の口部に設けられ一方の内側面に凸条部を設けた雄係合部材と他方の内側面に前記凸条部を係脱自在に嵌め入れる嵌合溝を設けた雌係合部材とより成るファスナーＦのこれら雄係合部材と雌係合部材とを分離する突起部２Ａを形成した一方のスライダ部材２と、これら雄係合部材と雌係合部材とを嵌合する狭窄部３Ｃを形成した他方のスライダ部材３と、より成るスライダ１とする。このスライダ１は、一方のスライダ部材２と他方のスライダ部材３とが一体となる嵌合構造とする。
【選択図】  図２【図１】
0004274384.tif 000002
【図２】
0004274384.tif 000003
【図３】
0004274384.tif 000004
【図４】
0004274384.tif 000005
【図５】
0004274384.tif 000006
【図６】
0004274384.tif 000007
【図７】
0004274384.tif 000008
【図８】
0004274384.tif 000009
【図９】
0004274384.tif 000010
【図１０】
0004274384.tif 000011
【図１１】
0004274384.tif 000012